(57)【要約】【課題】蓋と箱体の接着剤で貼り付けた部分の剥離を容易にし紙容器の開封性を向上すること。【解決手段】箱体１０の開口１０Ａに沿う一辺に蓋２０を連設し、蓋２０の突片１５Ａを箱体１０に接着剤３０で貼り付ける紙容器１であって、蓋２０の突片１５Ａと箱体１０の上記接着剤３０で貼り付けられる部分の少なくとも一方に切り込み３２を付帯したもの。【選択図】　図２
2004067108.tif 000002
【特許請求の範囲】
【請求項１】
箱体の開口に沿う一辺に蓋を連設し、蓋の突片を箱体に接着剤で貼り付ける紙容器であって、
蓋の突片と箱体の上記接着剤で貼り付けられる部分の少なくとも一方に切り込みを付帯してなる紙容器。
【請求項２】
前記切り込みが接着剤で貼り付けられる部分の表面層のみに設けられる請求項１に記載の紙容器。
【請求項３】
前記切り込みが接着剤で貼り付けられる部分を囲むように設けられる請求項１又は２に記載の紙容器。
【請求項４】
前記切り込みの囲みが前記突片の開き操作方向に直交する方向でなす幅を、該突片の開き操作端の側でより狭くする請求項３に記載の紙容器。
【請求項５】
前記切り込みが接着剤で貼り付けられる部分に複数条設けられる請求項１〜４のいずれかに記載の紙容器。
【発明の詳細な説明】
【０００１】
【発明の属する技術分野】
本発明は紙容器に関する。
【０００２】
【従来の技術】
洗剤容器等の紙容器では、箱体の開口に沿う一辺に蓋を連設し、蓋の突片を箱体に接着剤で貼り付けることで封止状態を維持し、物流過程での箱の開封を防止する。
【０００３】
【発明が解決しようとする課題】
紙容器は、封止状態で、箱体と蓋の強度を確保し、接着剤の接着力も確保しているから、蓋を開封するには、上記接着力を上回る大きな開き操作力を蓋の突片に加えることにより、突片の貼り付きを引き剥がす必要がある。このとき、突片が接着剤で強力に貼り付いていた箱体の表面層が剥離し、この表面層の剥離が周辺にまで及んで紙容器の見栄えを悪くしたり、大きな開き操作力により蓋や箱体を変形させて紙容器の見栄えを悪くする虞がある。
【０００４】
本発明の課題は、蓋と箱体の接着剤で貼り付けた部分の剥離を容易にし紙容器の開封性を向上することにある。
【０００５】
【課題を解決するための手段】
請求項１の発明は、箱体の開口に沿う一辺に蓋を連設し、蓋の突片を箱体に接着剤で貼り付ける紙容器であって、蓋の突片と箱体の上記接着剤で貼り付けられる部分の少なくとも一方に切り込みを付帯してなるようにしたものである。
【０００６】
【発明の実施の形態】
紙容器１は、図１〜図３に示す如く、箱体１０の開口１０Ａに沿う一辺に蓋２０を連設し、蓋２０の後述する突片１５Ａを箱体１０の後述する正面板１１に接着剤３０で貼り付け、粉末洗剤等を内容物として収容可能とするものである。
【０００７】
箱体１０及び蓋２０は、板紙だけ、又は板紙を主材料としてポリエチレン等のプラスチックフィルムをラミネートした図３に示す如くの素材を折り曲げて組立てたものである。
【０００８】
箱体１０は、図３に示す如く、正面板１１、底板１２、背面板１３、蓋板１４、張出フラップ１５を折り罫線を介して互いに連設し、底板１２と蓋板１４のそれぞれの両端辺に折り罫線を介して糊付フラップ１６、１７を連設し、背面板１３の両端辺に折り罫線を介して内側板１８を連設し、正面板１１の両端辺に折り罫線を介して外側板１９を連設している。
【０００９】
箱体１０は、正面板１１、底板１２、背面板１３、蓋板１４を胴巻き状に折り曲げ、蓋板１４に連設してある張出フラップ１５を折り曲げてこの張出フラップ１５を正面板１１の上端辺寄りでその表面に糊付けする。更に、底板１２と蓋板１４に連設してある糊付フラップ１６、１７を折り曲げ、背面板１３に連設してある内側板１８を折り曲げてこの内側板１８を糊付フラップ１６、１７の表面に糊付けし、正面板１１に連設してある外側板１９を折り曲げてこの外側板１９を糊付フラップ１６、１７の表面と内側板１８の表面に糊付けすることにて、封止状態を形成する。
【００１０】
尚、箱体１０への内容物の装填は、正面板１１、底板１２、背面板１３、蓋板１４の両端辺のうちの一方の端辺の側で糊付フラップ１６、１７、内側板１８、外側板１９を上述の如くに互いに糊付けした後、それらの他方の端辺の側で糊付フラップ１６、１７、内側板１８、外側板１９を同じく互いに糊付けする前に行なう。
【００１１】
箱体１０は、蓋板１４の両側小幅部１４Ｂに挟まれる部分を蓋片１４Ａとし、蓋板１４が連設している背面板１３の上端片寄りの一部にそれらの蓋片１４Ａ、両側小幅部１４Ｂのそれぞれに連続する蓋片１３Ａ、両幅小幅部１３Ｂを形成する。また、蓋板１４に連設している張出フラップ１５には、それらの蓋片１４Ａ、両側小幅部１４Ｂのそれぞれに連続する突片１５Ａ、両側小幅部１５Ｂが形成される。蓋片１３Ａ、１４Ａと突片１５Ａが前述した蓋２０を形成する。箱体１０は、張出フラップ１５の両側小幅部１５Ｂを前述した正面板１１の上端片寄りの表面に前面糊付けし、突片１５Ａを正面板１１の上端片寄りの表面の後述する接着貼付部３１に引き剥がし容易に貼り付ける。
【００１２】
箱体１０は、張出フラップ１５において、突片１５Ａとその両側の小幅部１５Ｂとの間に、ミシン目等の引裂き誘導線２１を設けてある。
【００１３】
また、蓋板１４では、蓋片１４Ａとその両側の小幅部１４Ｂとの間に、表裏２本の互いに平行をなすように離隔された半切線２２Ａ、２２Ｂを設け、半切線２２Ａは蓋板１４の表面の表面層に、突片１５Ａの引裂き誘導線２１につながるように設けられ、半切線２２Ｂは蓋板１４の裏面の表面層に、半切線２２Ａより蓋片１４Ａの内側に位置付けられて設けられる。蓋片１４Ａを両側小幅部１４Ｂから引裂いたとき、半切線２２Ａと半切線２２Ｂの間の表面の側の表面層が蓋片１４Ａの側に残って封止部１６Ａとなり、半切線２２Ａと半切線２２Ｂの間の裏面の側の表面層が両側小幅部１４Ｂの側に残って封止部１６Ａが着座するための着座部１６Ｂになる（図６）。
【００１４】
また、背面板１３では、蓋片１３Ａとその両側の小幅部１３Ｂとの間に、表裏２本の互いに平行をなすように離隔された半切線２３Ａ、２３Ｂを設け、半切線２３Ａは背面板１３の表面の表面層に、蓋片１４Ａの半切線２２Ａにつながるように設けられ、半切線２３Ｂは背面板１３の裏面の表面層に、半切線２３Ａより蓋片１３Ａの内側に位置付けられて設けられる。背面板１３において、両側の半切線２３Ａ、２３Ｂが設けられている端部に挟まれる部分には、ヒンジ罫線２４が設けられる。蓋片１３Ａを両側小幅部１３Ｂから引裂いたとき、半切線２３Ａと半切線２３Ｂの間の表面の側の表面層が蓋片１３Ａの側に残って封止部１７Ａとなり、半切線２３Ａと半切線２３Ｂの間の裏面の側の表面層が両側小幅部１３Ｂの側に残って封止部１７Ａが着座するための着座部１７Ｂ（不図示）になる。
【００１５】
従って、紙容器１の開封動作は以下の如くなされる。
（１）突片１５Ａに開き操作力を加えてこれを引裂き誘導線２１に沿って両側小幅部１５Ｂから引裂いて引き上げる。突片１５Ａは後述する接着貼付部３１において正面板１１から引き剥がされる。
【００１６】
（２）突片１５Ａに連なる蓋片１４Ａが半切線２２Ａ、２２Ｂに沿って両側小幅部１４Ｂから層間剥離され、更に蓋片１３Ａが半切線２３Ａ、２３Ｂに沿って両側小幅部１３Ｂから層間剥離される。これにより、蓋２０（蓋片１３Ａ及び蓋片１４Ａ）が開かれ、箱体１０に開口１０Ａが形成される。
【００１７】
蓋２０の一部が蓋片１３Ａにより背面板１３の内部にまで延在するから、開口１０Ａを拡張し、箱体１０の内部へのスプーンの挿入等が容易になる。
【００１８】
蓋２０による開口１０Ａの再封止時には、突片１５Ａを開口１０Ａ内である正面板１１の裏面に上端辺よりで差し込むと、蓋片１３Ａ、１４Ａの前述した封止部１６Ａ、１７Ａが、両側小幅部１３Ｂ、１４Ｂの側の着座部１６Ｂ、１７Ｂに着座し、紙容器１の密封性を高める。
【００１９】
蓋２０の再開封時には、正面板１１の上端中央部が三日月形に切り欠いているため、蓋２０の蓋片１４Ａと突片１５Ａが連設される折り罫線部に指をかけることが可能となり、開封が容易になる。
【００２０】
しかるに、紙容器１は、蓋２０の突片１５Ａを箱体１０の正面板１１に接着剤で以下の如くに貼り付ける。　紙容器１は、図２、図３、図４（Ａ）に示す如く、箱体１０の正面板１１の上端片寄りの表面と、突片１５Ａの裏面との接着剤３０による接着貼付部３１に切り込み３２を付帯している。切り込み３２は、突片１５Ａの裏面における接着貼付部３１の表面層のみに設けられ、接着貼付部３１を囲む形状に設けられる。
【００２１】
切り込み３２による接着貼付部３１の囲みは、図４（Ａ）に示す如くの台形状（又は図４（Ｂ）に示す如くの波形状）をなし、切り込み３２が突片１５Ａの開き操作方向に直交する方向でなす幅Ｗを、該突片１５Ａの開き操作端（突片１５Ａの先端）側でより狭くしてある。図４（Ｃ）は突片１５Ａの幅を開き操作方向で同一にするものである。
【００２２】
従って、紙容器１の開封時に、突片１５Ａを前述の如くに引き上げると、突片１５Ａの裏面の切り込み３２で囲まれる接着貼付部３１の表面層が紙剥けし、突片１５Ａの裏面を正面板１１の表面から引き剥がして開封する。３１Ａは正面板１１の表面側に引裂かれた紙剥け部、３１Ｂは突片１５Ａの裏面の紙剥け跡である。
【００２３】
本実施形態によれば以下の作用がある。
▲１▼紙容器１の開封のために、蓋２０の突片１５Ａに開き操作力を加えると、突片１５Ａの裏面の接着貼付部３１を囲むように、当該接着貼付部３１の表面層に設けてある切り込み３２の存在により、当該接着貼付部３１の表面層が容易に紙剥けするものとなる。従って、大きな開き操作力を加えずに、蓋２０の突片１５Ａと箱体１０との貼り付きを引き剥がしできる。
【００２４】
▲２▼蓋２０の突片１５Ａの裏面における表面層の剥離は、切り込み３２に囲まれた接着貼付部３１の範囲に限定され、接着貼付部３１の周辺にまで及ぶことがない。また、突片１５Ａに加える開き操作力は小さくて足り、この開き操作力により蓋２０や箱体１０を変形させにくい。従って、開いた後の紙容器１の見栄えを悪くする虞がない。
【００２５】
▲３▼切り込み３２による接着貼付部３１の囲みが突片１５Ａの開き操作方向に直交する方向でなす幅Ｗを、該突片１５Ａの開き操作端の側でより狭くした。従って、蓋２０の突片１５Ａに加えた開き操作力により接着貼付部３１の表面層を剥離させる最初の段階で、その剥離長さを短くし、結果として必要な引き剥がし力を小さくできる。
【００２６】
図５（Ａ）は、突片１５Ａの裏面の接着貼付部３１に付帯させる切り込み３２を、格子面をなす縦と横の複数条からなる切り込みにより形成したものである。切り込み３２は、複数条の互いに平行をなす縦又は横の平行線からなるものでも良い。これらの切り込み３２によれば以下の作用がある。
【００２７】
▲１▼蓋２０の突片１５Ａの裏面で、接着貼付部３１を囲むように当該接着貼付部３１の表面層に設けた切り込み３２を、格子目（又は平行線）をなす複数条からなる切り込み３２により形成した。これにより、接着貼付部３１の表面層の紙剥けが容易になり、大きな開き操作力を加えずに、蓋２０の突片１５Ａと箱体１０との貼り付きを引き剥がしできる。
【００２８】
▲２▼複数条の切り込み３２を接着貼付部３１を含む領域に設けることで、接着剤塗布の位置出しを不要とし、紙容器１の生産性を向上できる。
【００２９】
図５（Ｂ）は、突片１５Ａの裏面の接着貼付部３１に付帯させた切り込み３２の背後、換言すれば突片１５Ａの開き操作の進み側に、紙剥け制止用半切線３３を設けたものである。突片１５Ａの裏面の接着貼付部３１の表面層の紙剥けが切り込み３２を越えて切り込み３２の周辺に及んだときに、制止用半切線３３がこの紙剥けの広がりを制止する。
【００３０】
本発明の紙容器は、蓋が四方に垂直に下がって箱本体の開口の周囲に被さる壁を有し、垂直に下がる壁の１つにヒンジを介して接合片を設け、該接合片を箱本体に糊付けするとともに、接合片を設けた壁に対向する壁に封着用の突片を設け、該突片を箱本体に糊付けすることで封止されるものであっても良い。
【００３１】
【発明の効果】
以上のように本発明によれば、蓋と箱体の接着剤で貼り付けた部分の剥離を容易にし紙容器の開封性を向上することができる。
【図面の簡単な説明】
【図１】図１は紙容器の封止状態を示す斜視図である。
【図２】図２は紙容器の開封状態を示す斜視図である。
【図３】図３は紙容器の展開図である。
【図４】図４は切り込みの囲み形状を示す模式図である。
【図５】図５は切り込みの変形例を示す模式図である。
【図６】図６は表裏半切線の引裂き構造を示す模式図である。
【符号の説明】
１　紙容器
１０　箱体
１０Ａ　開口
１５Ａ　突片
２０　蓋
３０　接着剤
３１　接着貼付部
３２　切り込み
【図１】
2004067108.tif 000003
【図２】
2004067108.tif 000004
【図３】
2004067108.tif 000005
【図４】
2004067108.tif 000006
【図５】
2004067108.tif 000007
【図６】
2004067108.tif 000008